(57)【要約】      （修正有）【課題】ＣＤの再生時と、ＣＤ再生時にスリープタイマモードを起動した場合に、表示部に表示される画面の輝度を一定の値まで低減させることが出来るテレビジョンを提供することにある。【解決手段】ＣＤとＤＶＤを再生可能なＤＶＤ装置６にＣＤが装着され、さらに、スリープタイマモードが起動された場合に、テレビジョンマイコン７がスリープタイマモードの開始時刻をメモリ１４に記録し、表示部２１に出力される画面のブライトネス及びコントラストの値を最小値にする。また、スリープタイマモードが起動されない場合に、メモリ１４にスリープタイマモードの使用履歴が有れば、スリープタイマモード起動時の時刻が使用履歴の内、最も早い時刻よりも遅いか否かを確認し、遅ければブライトネス処理部１９及びコントラスト処理部２０を制御して、表示部２１に出力される画面のブライトネス及びコントラストの値を最小値にする。【選択図】      図１
2006054827.tif 000002
【特許請求の範囲】
【請求項１】
テレビジョン放送信号を受信するチューナ部と、
ＣＤとＤＶＤとを再生可能な光ディスク記録媒体再生装置と、
前記テレビジョン放送信号と前記光ディスク記録媒体再生装置からの映像信号を出力する表示部と、
前記表示部に出力される前記映像信号のブライトネスを調整するブライトネス処理部と、
前記表示部に出力される前記映像信号のコントラストを調整するコントラスト処理部と、
日付、曜日、時刻を管理するカレンダクロック部と、
経過時間を計測するタイマ部と、
メモリと、
前記チューナ部、前記光ディスク記録媒体再生装置、前記ブライトネス処理部、前記コントラスト処理部、前記カレンダクロック部、及び、前記タイマ部を制御する第１マイコン制御部と、を備えるテレビジョン放送受信機であって、
前記光ディスク記録媒体再生装置は、装着される光ディスク記録媒体の種類を判別する光ディスク判別部と、前記第１マイコン制御部に前記光ディスク判別部による判別結果をバス通信によって伝達する第２マイコン制御部と、前記光ディスク記録媒体がＣＤの場合に所定の画像を前記表示部に出力する画像処理部と、を備え、
前記第１マイコン制御部は、前記ディスク判別部による判別結果がＣＤであり、且つ、前記第１マイコン制御部が前記タイマ手段を制御して、一定時間経過後に前記テレビジョン放送受信機を停止させるスリープタイマモードを起動する際に、前記第１マイコン制御部が前記メモリに前記スリープタイマモード起動時の日付、曜日、時刻で構成されるスリープタイマモード使用履歴を記録させて、前記ブライトネス処理部及びコントラスト処理部を制御して前記表示部に出力される映像信号のブライトネス及びコントラストを最小値まで低減させ、
さらに、前記マイコン制御部がスリープタイマモードを起動しない場合には、前記スリープタイマモード使用履歴の有無を確認し、使用履歴が有れば前記スリープタイマモード起動時の時刻が前記スリープタイマモード使用履歴の内、最も早い時刻よりも遅いか否かを確認し、遅ければ前記ブライトネス処理部及びコントラスト処理部を制御して、前記表示部に出力される映像信号のブライトネス及びコントラストを一定の値まで低減させることを特徴とするテレビジョン放送受信機。
【請求項２】
テレビジョン放送信号を受信するチューナ部と、
ＣＤとＤＶＤとを再生可能な光ディスク記録媒体再生装置と、
前記テレビジョン放送信号と前記光ディスク記録媒体再生装置からの映像信号を出力する表示部と、
前記表示部に出力される前記映像信号のブライトネスを調整するブライトネス処理部と、
前記表示部に出力される前記映像信号のコントラストを調整するコントラスト処理部と、
前記チューナ部、前記光ディスク記録媒体再生装置、前記ブライトネス処理部、及び、前記コントラスト処理部を制御する第１マイコン制御部と、を備えるテレビジョン放送受信機であって、
前記光ディスク記録媒体再生装置は、装着される光ディスク記録媒体の種類を判別する光ディスク判別部と、前記第１マイコン制御部に前記光ディスク判別部による判別結果をバス通信によって伝達する第２マイコン制御部と、を備え、前記第１マイコン制御部は、前記光ディスク判別部による判別結果に従って、前記ブライトネス処理部及びコントラスト処理部とを制御して前記表示部に出力される映像信号のブライトネス及びコントラスト
を一定の値まで低減させることを特徴とするテレビジョン放送受信機。
【請求項３】
前記一定の値は、ユーザが視認可能な最小の値であることを特徴とする、請求項２に記載のテレビジョン放送受信機。
【請求項４】
前記テレビジョン放送受信機は、前記光ディスク記録媒体がＣＤの場合に所定の画像を前記表示部に出力する画像処理部をさらに備えており、前記第１マイコン制御部は、前記光ディスク判別部による判別結果がＣＤの場合に、前記ブライトネス処理部及びコントラスト処理部とを制御して前記表示部に出力される映像信号のブライトネス及びコントラストを一定の値まで低減させることを特徴とする、請求項２乃至３の何れか一つに記載のテレビジョン放送受信機。
【請求項５】
前記テレビジョン放送受信機は、経過時間を計測するタイマ部をさらに備えており、前記第１マイコン制御部が前記タイマ部を制御して、一定時間経過後に前記テレビジョン放送受信機を停止させるスリープタイマモードを起動する際に、前記ブライトネス処理部及びコントラスト処理部を制御して、前記表示部に出力される映像信号のブライトネス及びコントラストを一定の値まで低減させることを特徴とする、請求項２乃至４の何れか一つに記載のテレビジョン放送受信機。
【請求項６】
前記テレビジョン放送受信機は、日付、曜日、時刻を管理するカレンダクロック部と、前記スリープタイマモード起動時の日付、曜日、時刻で構成されるスリープタイマモード使用履歴を記録するメモリと、をさらに備えており、
前記第１マイコン制御部は、前記スリープタイマモード起動時に前記スリープタイマモード使用履歴を記録し、前記ブライトネス処理部及びコントラスト処理部を制御して、前記表示部に出力される映像信号のブライトネス及びコントラストを一定の値まで低減させ、
前記スリープタイマモードが起動されなければ、前記スリープタイマモード使用履歴の有無を確認し、使用履歴が有る場合には、前記スリープタイマモード起動時の時刻が前記スリープタイマモード使用履歴の内、最も早い時刻よりも遅いか否かを確認し、遅い場合には前記ブライトネス処理部及びコントラスト処理部を制御して、前記表示部に出力される映像信号のブライトネス及びコントラストを一定の値まで低減させることを特徴とする、請求項２乃至５の何れか一つに記載のテレビジョン放送受信機。
【発明の詳細な説明】
【技術分野】
【０００１】
本発明は、ＣＤとＤＶＤとを再生可能な光ディスク記録媒体再生装置を備えるテレビジョン放送受信機であって、ＣＤ再生時、または、ＣＤ再生とスリープタイマモードの併用時に表示部に出力される画像のブライトネス及びコントラストを一定値まで低減させるＣテレビジョン放送受信機に関する。
【背景技術】
【０００２】
ＣＤとＤＶＤとを再生可能なＤＶＤ装置を備えるテレビジョン放送受信機でＣＤ再生を行う場合、表示部に出力する画面の一例として全画面を真っ暗な状態にするブラックバック画面が使用される。ブラックバック画面の使用は、消費電力を抑えることが出来るという利点があるが、ユーザが誤ってＤＶＤ装置の故障として誤認する可能性が生じる。こうした誤認を防ぐために、表示部に所定の壁紙画像を表示する方法を採用することが出来るが、この方法を採用した場合、幾つかの問題点が生じる。例えば、ユーザが夜中にＤＶＤ装置でＣＤの音声を聴きながら、一定時間経過後に電源を切断するスリープタイマモードを使用して就寝する場合、表示部に表示された壁紙画面が明るく、睡眠の妨げとなる。また、ＣＤ再生時には、ＤＶＤ装置の故障と誤認されない程度の表示部の明るさを維持することが出来れば、必要以上に表示部の画面を明るくする必要はない。
【０００３】
このような問題に対応すべく、従来から様々な発明が提案されている。例えば、特許文献１には、スリープタイマに関連して作動する表示輝度制御回路を備えたステレオ装置について記載されており、スリープタイマの残り時間に対応して、表示部の輝度を低減させる構成が開示されている。特許文献２には、スリープタイマ機能を備える電子機器について記載されており、スリープタイマの設定後、３段階に分けられた残り時間の各段階を追う毎に、表示部の明暗を３段階で暗くする構成が開示されている。また、特許文献３には、複数の発光素子をプリント基板上に配列した表示装置について記載されており、表示装置の表示輝度を１００％、５０％、２５％、１２．５％、「輝度の指定無し」（標準設定されている発光輝度）の中から選択して設定する構成が開示されている。さらに、照度センサーの検出結果に基づいて、日中と夜間の輝度を切替る構成と、昼夜の区別なく一定輝度固定する構成について開示されている。
【特許文献１】特開２００２−８４１５２号公報（第３−５頁、第３図）
【特許文献２】特開２０００−２４３０７４号公報（第３頁、第２図）
【特許文献３】特開２００３−２０２８４９号公報（第６頁、第１図）
【発明の開示】
【発明が解決しようとする課題】
【０００４】
上述の通り、特許文献１に記載の発明では、スリープタイマの残り時間に対応して表示部の表示輝度を下げることが可能であり、特許文献２に記載の発明では、スリープタイマの残り時間に対応して、表示輝度を段階的に下げることが可能である。また、特許文献３に記載の発明では、表示部の表示輝度の設定値を決めることができ、照度センサーの結果に基づいて日中と夜間に於ける表示部の表示輝度を切り換えることは可能である。しかし、特許文献１乃至３に記載の発明では、ＣＤとＤＶＤを再生可能なＤＶＤ装置に於いて、ＣＤ再生時に表示部の明るさを必要最小限に留めて表示することは出来ない。
【０００５】
したがって、本発明の目的は、ＣＤとＤＶＤを再生可能なＤＶＤ装置を備えるテレビジョン放送受信機であって、ＣＤの再生時と、ＣＤ再生時にスリープタイマモードを起動した場合に、表示部に表示される画面の輝度を一定の値まで低減させることが出来るテレビジョンを提供することにある。
【課題を解決するための手段】
【０００６】
第１発明に係るテレビジョン放送受信機は、テレビジョン放送信号を受信するチューナ部と、ＣＤとＤＶＤとを再生可能な光ディスク記録媒体再生装置と、テレビジョン放送信号と光ディスク記録媒体再生装置からの映像信号を出力する表示部と、表示部に出力される映像信号のブライトネスを調整するブライトネス処理部と、表示部に出力される映像信号のコントラストを調整するコントラスト処理部と、日付、曜日、時刻を管理するカレンダクロック部と、経過時間を計測するタイマ部と、メモリと、チューナ部、光ディスク記録媒体再生装置、ブライトネス処理部、コントラスト処理部、カレンダクロック部、タイマ部、及びメモリを制御する第１マイコン制御部と、を備えるテレビジョン放送受信機であって、光ディスク記録媒体再生装置は、装着される光ディスク記録媒体の種類を判別する光ディスク判別部と、第１マイコン制御部に光ディスク判別部による判別結果をバス通信によって伝達する第２マイコン制御部と、光ディスク記録媒体がＣＤの場合に所定の画像を前記表示部に出力する画像処理部と、を備え、第１マイコン制御部は、ディスク判別部による判別結果がＣＤであり、且つ、第１マイコン制御部がタイマ手段を制御して、一定時間経過後にテレビジョン放送受信機を停止させるスリープタイマモードを起動する際に、第１マイコン制御部がメモリにスリープタイマモード起動時の日付、曜日、時刻で構成されるスリープタイマモード使用履歴を記録させて、ブライトネス処理部及びコントラスト処理部を制御して表示部に出力される映像信号のブライトネス及びコントラストを最小値まで低減させ、さらに、マイコン制御部がスリープタイマモードを起動しない場合には、スリープタイマモード使用履歴の有無を確認し、使用履歴が有ればスリープタイマモード起動時の時刻がスリープタイマモード使用履歴の内、最も早い時刻よりも遅いか否かを確認し、遅ければブライトネス処理部及びコントラスト処理部を制御して、表示部に出力される映像信号のブライトネス及びコントラストを一定の値まで低減させることを特徴とする。
【０００７】
このテレビジョン放送受信機によれば、光ディスク記録媒体の種類を判別する光ディスク判別部による判別結果が、第２マイコン制御部を経由して第２マイコン制御部とバス通信によって接続された第１マイコン制御部に伝達されるので、光ディスク記録媒体再生装置とテレビジョン放送受信機が別体となっている場合に比して、光ディスクの判別に応じた処理をより迅速に行うことが出来る。
【０００８】
また、このテレビジョン放送受信機によれば、光ディスク記録媒体装置で使用される記録媒体がＣＤである場合には、画像処理部によって表示部に画像が出力され、さらに、第１マイコン制御部がブライトネス処理部及びコントラスト処理部を制御して、表示部に出力される映像信号のブライトネス及びコントラストを一定の値まで低減させる。したがって、ユーザがＣＤを再生する際に、必ずしも必要としない表示部に出力される映像信号のブライトネス及びコントラストを一定の値まで低減させ、消費電力を抑えることが出来る。
【０００９】
さらに、表示部に出力される映像信号のブライトネス及びコントラストを最小値まで低減させることによって、映像を微かに確認することが可能となるので、表示部の映像をブラックバック表示する場合に比して、ユーザがＤＶＤ装置の故障として誤認することを防ぐことが出来る。
【００１０】
そして、このテレビジョン放送受信機によれば、スリープタイマモードを起動する際に、第１マイコン制御部がブライトネス処理部及びコントラスト処理部を制御して、表示部に出力される映像信号のブライトネス及びコントラストを一定の値まで低減させる。したがって、部屋の照明を落としてＣＤの音声を聴きながら就寝する状況に於いて、表示部に出力される画面の明るさが就寝の妨げとなることを防ぐことが出来る。
【００１１】
また、このテレビジョン放送受信機によれば、ユーザがスリープタイマモードを起動させない状況であっても、ＣＤを再生している時刻がスリープタイマモード使用履歴の内、最も早い時刻よりも遅い場合には、自動的に画面のブライトネス及びコントラストの値を
最小値にするので、非常に利便性が高い。
【００１２】
第２発明に係るテレビジョン放送受信機は、テレビジョン放送信号を受信するチューナ部と、ＣＤとＤＶＤとを再生可能な光ディスク記録媒体再生装置と、テレビジョン放送信号と光ディスク記録媒体再生装置からの映像信号を出力する表示部と、表示部に出力される映像信号のブライトネスを調整するブライトネス処理部と、表示部に出力される映像信号のコントラストを調整するコントラスト処理部と、チューナ部、光ディスク記録媒体再生装置、ブライトネス処理部、及び、コントラスト処理部を制御する第１マイコン制御部と、を備えるテレビジョン放送受信機であって、光ディスク記録媒体再生装置は、装着される光ディスク記録媒体の種類を判別する光ディスク判別部と、第１マイコン制御部に光ディスク判別部による判別結果をバス通信によって伝達する第２マイコン制御部と、を備え、第１マイコン制御部は、光ディスク判別部による判別結果に従って、ブライトネス処理部及びコントラスト処理部とを制御して表示部に出力される映像信号のブライトネス及びコントラストを一定の値まで低減させることを特徴とする。
【００１３】
このテレビジョン放送受信機によれば、光ディスク記録媒体の種類を判別する光ディスク判別部による判別結果が、第２マイコン制御部を経由して第２マイコン制御部とバス通信によって接続された第１マイコン制御部に伝達されるので、光ディスク記録媒体再生装置とテレビジョン放送受信機が別体となっている場合に比して、光ディスク記録媒体の種類の判別に応じた処理をより迅速に行うことが出来る。
【００１４】
第３発明に係るテレビジョン放送受信機は、第２発明に係るテレビジョン放送受信機に於いて、一定の値は、ユーザが視認可能な最小の値であることを特徴とする。
【００１５】
このテレビジョン放送受信機によれば、表示部に出力される映像信号のブライトネス及びコントラストをユーザが視認可能な最小の値まで低減させるので、表示部への出力に必要な消費電力を最小限に抑えることが出来る。また、表示部に出力される映像信号のブライトネス及びコントラストを最小の値まで低減させることによって、ユーザは映像を微かに確認することが出来るので、表示部の映像をブラックバック表示する場合に比して、誤ってテレビジョン放送受信機の故障と認識することを防ぐことが出来る。
【００１６】
第４発明に係るテレビジョン放送受信機は、第２乃至第３発明の何れか一つに係るテレビジョン放送受信機に於いて、光ディスク記録媒体がＣＤの場合に所定の画像を前記表示部に出力する画像処理部をさらに備えており、第１マイコン制御部は、光ディスク判別部による判別結果がＣＤの場合に、ブライトネス処理部及びコントラスト処理部とを制御して表示部に出力される映像信号のブライトネス及びコントラストを一定の値まで低減させることを特徴とする。
【００１７】
このテレビジョン放送受信機によれば、光ディスク記録媒体装置がＣＤの場合に所定の画像を表示部に出力する画像処理部をさらにそなえており、第１マイコン制御部が光ディスク判別部による判別結果がＣＤの場合に、ブライトネス処理部及びコントラスト処理部を制御して、表示部に出力される映像信号のブライトネス及びコントラストを一定の値まで低減させるので、ＣＤ再生時に必ずしも必要としない表示部への映像出力のブライトネス及びコントラストを一定の値まで低減させ、消費電力を抑えることが出来る。
【００１８】
第５発明に係るテレビジョン放送受信機は、第２乃至第４発明の何れか一つに係るテレビジョン放送受信機に於いて、経過時間を計測するタイマ部をさらに備えており、第１マイコン制御部が前記タイマ部を制御して、一定時間経過後に前記テレビジョン放送受信機を停止させるスリープタイマモードを起動する際に、ブライトネス処理部及びコントラスト処理部を制御して、表示部に出力される映像信号のブライトネス及びコントラストを一定の値まで低減させることを特徴とする。
【００１９】
このテレビジョン放送受信機によれば、スリープタイマモードを起動する際に、第１マイコン制御部がブライトネス処理部及びコントラスト処理部を制御して、表示部に出力さ
れる映像信号のブライトネス及びコントラストを一定の値まで低減させる。したがって、部屋の照明を落として光ディスク記録媒体の音声を聴きながら就寝する状況に於いて、通常、就寝の妨げになり得る画面の明るさを抑えることが出来る。
【００２０】
第６発明に係るテレビジョン放送受信機は、第２乃至第５発明の何れか一つに係るテレビジョン放送受信機に於いて、日付、曜日、時刻を管理するカレンダクロック部と、スリープタイマモード起動時の日付、曜日、時刻で構成されるスリープタイマモード使用履歴を記録するメモリとをさらに備えており、第１マイコン制御部は、スリープタイマモード起動時にスリープタイマモード使用履歴を記録し、ブライトネス処理部及びコントラスト処理部を制御して、表示部に出力される映像信号のブライトネス及びコントラストを一定の値まで低減させ、スリープタイマモードが起動されなければ、スリープタイマモード使用履歴の有無を確認し、使用履歴が有る場合には、スリープタイマモード起動時の時刻がスリープタイマモード使用履歴の内、最も早い時刻よりも遅いか否かを確認し、遅い場合には前記ブライトネス処理部及びコントラスト処理部を制御して、表示部に出力される映像信号のブライトネス及びコントラストを一定の値まで低減させることを特徴とする。
【００２１】
このテレビジョン放送受信機によれば、ユーザがスリープタイマモードを起動させない状況であっても、光ディスク記録媒体を再生している時刻がスリープタイマモード使用履歴の内、最も早い時刻よりも遅い場合には、自動的に画面のブライトネス及びコントラストの値を最小値にすることが出来るので、非常に利便性が高い。
【発明の効果】
【００２２】
本発明によれば、ＣＤとＤＶＤを再生可能な光ディスク記録媒体再生装置を備えたテレビジョン放送受信機に於いて、ＣＤ再生時と、ＣＤ再生時にスリープタイマモードを起動する場合に、表示部に出力される映像信号のブライトネス及びコントラストを一定の値まで低減することが出来る。
【発明を実施するための最良の形態】
【００２３】
（１）第１実施形態
[全体構成]
図１は、本実施形態に係るテレビジョン放送受信機１の概略構成図である。このテレビジョン放送受信機１は、アンテナ２と、テレビジョンチューナ３と、信号処理部４と、ＤＶＤ装置６と、入力セレクタ１０と、リモコン８と、赤外線受光部９と、テレビジョンマイコン７と、カレンダクロック１１と、タイマ１２と、電源部１３と、メモリ１４と、ＥＥＰＲＯＭ１５と、アンプ１６と、スピーカ１７と、輝度色差信号処理部１８と、ブライトネス処理部１９と、コントラスト処理部２０と、表示部２１とを備える。
【００２４】
アンテナ２は、テレビジョン放送の放送電波を受信し、電気信号である放送信号に変換する。テレビジョンチューナ３は、アンプ、フィルタ、混合器、ＰＬＬ等（図示せず）で構成され、放送信号に所定の処理を施し、入力セレクタ１０を介して、アンプ１６及び輝度色差信号処理部１８に信号を出力する。
【００２５】
ＤＶＤ装置６は、光ディスク記憶媒体５に記録されたデータを音声信号及び映像信号に変換し、それぞれの信号を入力セレクタ１０を介して、アンプ１６及び輝度色差信号処理部１８に出力する。また、ＤＶＤ装置６は、ＤＶＤマイコン２５を備えており（図２参照）、該ＤＶＤマイコン２５とテレビジョンマイコン７はバス通信により接続されている。なお、ＤＶＤ装置６の詳細な構成については後述する。
【００２６】
入力セレクタ１０は、テレビジョンマイコン７の制御により、テレビジョンチューナ３とＤＶＤ装置６の内、何れかの音声信号及び映像信号を夫々アンプ１６と輝度色差信号処理部１８に切り換えて出力する。
【００２７】
アンプ１６は、入力セレクタ１０を介して入力された音声信号を増幅してスピーカ１７に出力する。スピーカ１７はアンプ１６からの音声信号を出力する。
【００２８】
輝度色差信号処理部１８は、入力セレクタ１０を介して入力された映像信号の画質を調整してブライトネス処理部１９及びコントラスト処理部２０に出力する。ブライトネス処理部１９は、輝度色差信号処理部１８からのＲＢＧ信号の直流分を変化させて表示部２１に出力される画面のブライトネスを変更する。コントラスト処理部２０は、輝度色差信号処理部１８からのＲＧＢ信号の振幅を変化させて、表示部２１に出力される画面のコントラストを変更する。表示部２１は、ブライトネス処理部１９及びコントラスト処理部２０からの信号を出力する。
【００２９】
リモコン８は、複数の入力キー（図示せず）が設けられており、該入力キーの押下によって、所定のユーザ入力が受け付けられる。リモコン８への入力は、リモコン８に設けられた赤外線発光部（図示せず）から赤外線受光部９に出力される。赤外線受光部９は、リモコン８からの信号をテレビジョンマイコン７に出力する。
【００３０】
テレビジョンマイコン７は、リモコン８からのユーザ入力に対応して、テレビジョンチューナ３、ＤＶＤ装置６、入力セレクタ１０、カレンダクロック１１、タイマ１２、電源部１３、メモリ１４、ＥＥＰＲＯＭ１５、ブライトネス処理部１９、コントラスト処理部２０を制御する。
【００３１】
カレンダクロック１１は、日付、曜日、時刻データを管理する。タイマ１２は、所定の時間を計測する。電源部１３は、テレビジョン放送受信機１の電源投入及び電源切断を制御する。メモリ１４は、カレンダクロック１１の日付、曜日、時間等のデータを記録する。ＥＥＰＲＯＭ１５は、電気的に内容を書き換え可能なＲＯＭであり、表示部２１に出力される映像信号のブライトネス及びコントラストの値に関するデータが記録されている。ＥＥＰＲＯＭ１５に記録されているブライトネス及びコントラストに関するデータは、デフォルトデータ、ユーザによる変更登録データ、所定の条件を満たした場合に使用されるデータ等である。なお、該ＥＥＰＲＯＭ１５に記録されているブライトネス及びコントラストのデータに基づいて、前述のブライトネス処理部１９及びコントラスト処理部２０は、テレビジョンマイコン７の制御によって表示部２１に出力する画面のブライトネス及びコントラストを変更する。
【００３２】
[ＤＶＤ装置の構成]
図２は、ＤＶＤ装置６の概略構成図である。ＤＶＤ装置６は、ピックアップ部２２、ＲＦアンプ２３、デジタル信号処理部２４、ＤＶＤマイコン２５、ＲＯＭ２６、スイッチ２７、２７ａ、２７ｂ、ストリーム分離回路２８、音声信号デコード部２９、Ｄ／Ａ変換器３０、映像信号デコード部３１、Ｄ／Ａ変換器３２、ＰＣＭ復調回路３３、初期画像処理部３４とを備える。
【００３３】
ＤＶＤ装置６の格納トレー（図示せず）に光ディスク記録媒体５が装着されると、ピックアップ部２２は光ディスク記録媒体５の信号を読み取り、ＲＦ信号に変換してＲＦアンプ２３に出力するとともに、光ディスク記録媒体５の種類がＤＶＤかＣＤかを判別し、その結果をＤＶＤマイコン２５に出力する。ＲＦアンプ２３は、ピックアップ部２２から出力されたＲＦ信号を増幅し、デジタル信号処理部２４に出力する。デジタル信号処理部２４は、ＲＦアンプ２３から出力されたＲＦ信号をデジタルデータに変換する。このデジタルデータは、光ディスク記録媒体５の種類に応じて、スイッチ２７を介してストリーム分離回路２８、若しくはＰＣＭ復調回路３３に出力される。
【００３４】
具体的には、光ディスク記録媒体５がＤＶＤの場合、スイッチ２７はスイッチ２７ａ側に切り換えられ、デジタル信号処理部２４から出力されたデジタルデータはストリーム分離回路２８に出力される。ストリーム分離回路２８では、デジタルデータが音声ストリームデータと映像ストリームデータに分離され、夫々のストリームデータは音声信号デコー
ド部２９と映像信号デコード部３１に出力される。音声信号デコード部２９は、音声ストリームデータを伸張してデジタル音声信号に変換し、Ｄ／Ａ変換器３０に出力する。Ｄ／Ａ変換器３０は、入力されたデジタル音声信号をアナログ信号に変換して、入力セレクタ１０を介してアンプ１６に出力する（図１参照）。映像信号デコード部３１は、映像ストリームデータを伸張してデジタル映像信号に変換し、Ｄ／Ａ変換器３２に出力する。Ｄ／Ａ変換器３２は、入力されたデジタル映像信号をアナログ信号に変換して、入力セレクタ１０を介して輝度色差信号処理部１８に出力する（図１参照）。一方、光ディスク記録媒体５がＣＤの場合では、スイッチ２７は、スイッチ２７ｂ側に切り換えられ、デジタル信号処理部２４から出力されたデジタルデータはＰＣＭ復調回路３３に出力される。ＰＣＭ復調回路３３は、デジタルデータをＰＣＭ復調して、入力セレクタ１０を介して、アンプ１６に出力する（図１参照）。
【００３５】
ＤＶＤマイコン２５は、テレビジョンマイコン７とバス通信により接続されており、ピックアップ部２２による光ディスク記録媒体５の種類に関する判別結果をテレビジョンマイコン７に出力する。また、ユーザがリモコン８を操作して、ＤＶＤ装置６の使用を選択する場合、テレビジョンマイコン７を介してこのユーザ入力がＤＶＤマイコン２５に出力される。さらに、ＤＶＤマイコン２５は、光ディスク記録媒体５の再生に先立ち、オープニング画面を表示部２１に出力するために、ＲＯＭ２６に記録されたデータに基づいて、初期画像処理部を制御してオープニング画面に関する映像信号を出力させる。ＲＯＭ２６に記録されたオープニング画面のデータは、例えば、壁紙画像やＯＳＤ（On Screen Display）といったメニュー画面等である。また、音声データのみが記録されたＣＤの再生時
には、ＤＶＤマイコン２５は該オープニング画像を継続して表示部２１に出力するように初期画像処理部３４を制御する。なお、音声データ以外に映像データが記録されたＣＤの再生時には、該ＣＤに記録された映像を表示部２１に出力する。
【００３６】
[ブライトネス・コントラスト制御処理]  
図３は、第１実施形態に係るテレビジョン放送受信機１のブライトネス・コントラスト制御処理に関するフローチャートである。
【００３７】
テレビジョン放送受信機１のＤＶＤ装置６の格納トレーに光ディスク記録媒体５が装着されると、ピックアップ部２２で光ディスク記録媒体５の種類が判別される（Ｓ１１）。ピックアップ部２２は、この判別結果をＤＶＤマイコン２５に出力し、ＤＶＤマイコン２５はバス通信を介して、テレビジョンマイコン７にこれを出力する。この時、ＤＶＤマイコン２５は初期画像処理部３４を制御して、オープニング画面を表示部２１に出力する処理を行う。
【００３８】
ピックアップ部２２に於ける光ディスク記録媒体５の種類に関する判別結果がＣＤの場合（Ｓ１２）、ステップ１３に於いて、ＤＶＤマイコン２５はオープニング画面を継続して表示部２１に出力させる。そして、テレビジョンマイコン７は、ＥＥＰＲＯＭ１５に記録されている映像信号のブライトネス及びコントラストの最小値を読み出し、この値に基づいて、ブライトネス処理部１９とコントラスト処理部２０とを制御することによって、表示部２１に出力されるオープニング画面のブライトネス及びコントラストの値を最小値に変更する。なお、本実施形態におけるブライトネス及びコントラストの値は、６３段階で表現されており、最小値を１、最高値を６３に設定されており、ブライトネスの値が１に近づく程、画面の明るさは暗くなり、６３に近づく程、画面の明るさは暗くなる。また、コントラストの値が１に近づく程、画面の明暗差が小さくなり、６３に近づく程、画面の明暗差が大きくなる。本実施形態では、ユーザがブライトネス及びコントラストの値が１に設定された画面を見た場合、画面がブラックバック画面ではなく、薄っすら画像が出力されていることを認識できる程度の状態になっている。ただし、ブライトネス及びコントラストの値を設定する段階表示はテレビジョン放送受信機の仕様によって異なるので、
ユーザが画像の出力を認識可能な最小値であれば、ブライトネス及びコントラストの値を１以外の値（例えば３）に設定しても良い。
【００３９】
そして、ステップ１３の後、ユーザがリモコン８に備えられているキーを押下して、再生、停止、早送り、巻き戻し等、何らかのキー入力を行った場合（Ｓ１５）、テレビジョンマイコン７は、ＥＥＰＲＯＭ１５からブライトネス及びコントラストの既定値を読み出し、この値に基づいて、ブライトネス処理部１９とコントラスト処理部２０を制御することによって、表示部２１に出力される画面のブライトネス及びコントラストを既定値に戻して（Ｓ１６）、ステップ１１に戻る。反対に、ステップ１３に於いて、オープニング画面のブライトネス及びコントラストの値が最小値に変更された後、ユーザがリモコン８に何らキー入力をしなければ（Ｓ１５）、ステップ１１に戻る。なお、上述の既定値は、テレビジョン放送受信機１の出荷段階で設定されているデフォルトの値でもよいし、ユーザがリモコン８のキー入力によって設定したユーザ固有の値でも良い。
【００４０】
一方、ピックアップ部２２に於ける光ディスク記録媒体５の種類に関する判別がＣＤではない場合（Ｓ１２）、表示部２１に出力されている画面のブライトネス及びコントラストの値が最小値か否かが判断され（Ｓ１４）、最小値の状態であれば、ブライトネス及びコントラストの値を既定値に戻し（Ｓ１６）、ステップ１１に戻る。また、ステップ１４に於いて、ブライトネスとコントラストの値が最小値ではない場合、ステップ１１に戻る。
【００４１】
[作用効果]
本実施形態に係るテレビジョン放送受信機１によれば、光ディスク記録媒体５の種類を判別するピックアップ部２２による判別結果が、ＤＶＤマイコン２５を経由して、ＤＶＤマイコン２５とバス通信によって接続されたテレビジョンマイコン７に伝達されるので、ＤＶＤ装置とテレビジョン放送受信機とが別体の場合に比べて、光ディスクの判別に応じた処理をより迅速に行うことが出来る。
【００４２】
また、本実施形態に係るテレビジョン放送受信機１によれば、ピックアップ部２２での光ディスク記録媒体５の判別結果がＣＤの場合、表示部２１に出力される映像信号のブライトネス及びコントラストの値を最小値にすることが出来るので、音声情報のみのＣＤの再生時に必ずしも必要ではない表示部への映像出力に必要な消費電力を最小限に抑えることが出来る。また、該ブライトネス及びコントラストの値を最小値にすることにより、ユーザが表示部２１に出力される画像をブラックバック画面ではなく、オープニング画面であることを確認出来るので、ユーザが誤ってテレビジョン放送受信機１が故障したと認識することを防ぐことが出来る。
（２）第２実施形態
[構成]
第２実施形態に係るテレビジョン放送受信機１の全体構成及びＤＶＤ装置６の構成については、第１実施形態の構成と同一であるので、ここでは説明を省略する。
【００４３】
[ブライトネス・コントラスト制御処理]  
図４は、本実施形態に係るテレビジョン放送受信機１のブライトネス・コントラスト制御処理に関するフローチャートである。
【００４４】
テレビジョン放送受信機１のＤＶＤ装置６の格納トレーに光ディスク記録媒体５が装着されると、ピックアップ部２２で光ディスク記録媒体５の種類が判別される（Ｓ２１）。ピックアップ部２２は、この判別結果をＤＶＤマイコン２５に出力し、ＤＶＤマイコン２５はバス通信を介して、テレビジョンマイコン７にこれを出力する。この時、ＤＶＤマイ
コン２５は初期画像処理部３４を制御して、オープニング画面を表示部２１に出力する処理を行う。
【００４５】
ピックアップ部２２に於ける光ディスク記録媒体５の種類に関する判別結果がＣＤの場合（Ｓ２２）、ＤＶＤマイコン２５は、オープニング画面を継続して表示部２１に出力させる。そして、ユーザがリモコン８を操作して、一定時間後経過後にテレビジョン放送受信機１の電源を切断するスリープタイマモードを起動したか否かを、テレビジョンマイコン７が判別する（Ｓ２３）。スリープタイマモードの基本的な処理は、例えば、ユーザがリモコン８の操作により、３０分のスリープタイマモードを起動させた場合、テレビジョンマイコン７はタイマ１２を制御して、３０分間計測させ、３０分後に電源部１３を制御してテレビジョン放送受信機１の電源を切断するという処理である。そして、このスリープタイマモードが起動された場合、テレビジョンマイコン７は、ＥＥＰＲＯＭ１５に記録されている映像信号のブライトネス及びコントラストの最小値を読み出し、この値に基づいて、ブライトネス処理部１９とコントラスト処理部２０とを制御することによって、表示部２１に出力されるオープニング画面のブライトネス及びコントラストの値を最小値に変更する（Ｓ２５）。反対に、ユーザによってスリープタイマモードが起動されない場合には、表示部２１に出力されるオープニング画面のブライトネス及びコントラストの値を最小値に変更することなく、ステップ２６に進む。なお、本実施形態におけるブライトネス及びコントラストの値は、６３段階で表現されており、最小値を１、最高値を６３に設定されており、ブライトネスの値が１に近づく程、画面の明るさは暗くなり、６３に近づく程、画面の明るさは暗くなる。また、コントラストの値が１に近づく程、画面の明暗差が小さくなり、６３に近づく程、画面の明暗差が大きくなる。本実施形態では、ユーザがブライトネス及びコントラストの値を１に設定した画面を見た場合、画面がブラックバック画面ではなく、薄っすら画像が出力されていることを認識できる程度の状態になっている。ただし、ブライトネス及びコントラストの値を設定する段階表示はテレビジョン放送受信機の仕様によって異なるので、ユーザが画像の出力を認識可能な最小値であれば、ブライトネス及びコントラストの値を１以外の値（例えば３）に設定しても良い。
【００４６】
そして、ステップ２５の後、ユーザがリモコン８に備えられているキーを押下して、再生、停止、早送り、巻き戻し等、何らかのキー入力を行った場合（Ｓ２６）、テレビジョンマイコン７は、ＥＥＰＲＯＭ１５からブライトネス及びコントラストの既定値を読み出し、この値に基づいて、ブライトネス処理部１９とコントラスト処理部２０を制御することによって、表示部２１に出力される画面のブライトネス及びコントラストを既定値に戻し（Ｓ２７）、ステップ２１に戻る。反対に、オープニング画面のブライトネス及びコントラストの値が最小値に変更された後、ステップ２６に於いて、ユーザがリモコン８に何らキー入力をしなければ、ステップ２１に戻る。なお、上述の既定値は、テレビジョン放送受信機１の出荷段階で設定されているデフォルトの値でもよいし、ユーザがリモコン８のキー入力によって設定したユーザ固有の値でも良い。
【００４７】
一方、ピックアップ部２２に於ける光ディスク記録媒体５の種類に関する判別がＣＤではない場合（Ｓ２２）、表示部２１に出力されている画面のブライトネス及びコントラストの値が最小値か否かが判断され（Ｓ２４）、最小値の状態であれば、ブライトネス及びコントラストの値を既定値に戻し（Ｓ２７）、ステップ２１に戻る。また、ステップ２４に於いて、ブライトネスとコントラストの値が最小値ではない場合、ステップ２１に戻る。
【００４８】
[作用効果]
本実施形態に係るテレビジョン放送受信機１によれば、光ディスク記録媒体５の種類を判別するピックアップ部２２による判別結果が、ＤＶＤマイコン２５を経由して、ＤＶＤマイコン２５とバス通信によって接続されたテレビジョンマイコン７に伝達されるので、
ＤＶＤ装置とテレビジョン放送受信機とが別体の場合に比べて、光ディスクの判別に応じた処理をより迅速に行うことが出来る。
【００４９】
また、本実施形態に係るテレビジョン放送受信機１によれば、ピックアップ部２２での光ディスク記録媒体５の種類に関する判別結果がＣＤであり、且つ、スリープタイマモードが起動される場合に、表示部２１に出力される映像信号のブライトネス及びコントラストの値を最小値にすることが出来るので、音声情報のみのＣＤの再生時に、必ずしも必要ではない表示部への映像出力に必要な消費電力を最小限に抑えることが出来るだけでなく、夜間、部屋の照明を落としてＣＤの音声を聴きながら就寝する状況に於いて、表示部２１に出力される画面の明るさが就寝の妨げとなることを防ぐことが出来る。
【００５０】
また、表示部２１に出力される映像信号のブライトネス及びコントラストの値を最小値にすることで、ユーザが表示部２１に出力される画像をブラックバック画面ではなく、オープニング画面であることを確認出来るので、ユーザが誤ってテレビジョン放送受信機１が故障したと認識することを防ぐことが出来る。
【００５１】
（３）第３実施形態
[構成]
第３実施形態に係るテレビジョン放送受信機１の全体構成及びＤＶＤ装置６の構成については、第１実施形態の構成と同一であるので、ここでは説明を省略する。
【００５２】
[ブライトネス・コントラスト制御処理]  
図５は、本実施形態に係るテレビジョン放送受信機１のブライトネス・コントラスト制御処理に関するフローチャートである。
【００５３】
テレビジョン放送受信機１のＤＶＤ装置６の格納トレーに光ディスク記録媒体５が装着されると、ピックアップ部２２で光ディスク記録媒体５の種類が判別される（Ｓ３１）。ピックアップ部２２は、この判別結果をＤＶＤマイコン２５に出力し、ＤＶＤマイコン２５はバス通信を介して、テレビジョンマイコン７にこれを出力する。この時、ＤＶＤマイコン２５は初期画像処理部３４を制御して、オープニング画面を表示部２１に出力する処理を行う。
【００５４】
ピックアップ部２２に於ける光ディスク記録媒体５の種類に関する判別結果がＣＤの場合（Ｓ３２）、ＤＶＤマイコン２５は、オープニング画面を継続して表示部２１に出力させる。そして、ユーザがリモコン８を操作して、一定時間後経過後にテレビジョン放送受信機１の電源を切断するスリープタイマモードを起動したか否かを、テレビジョンマイコン７が判別する（Ｓ３３）。スリープタイマモードの基本的な処理は、例えば、ユーザがリモコン８の操作により、３０分のスリープタイマモードを起動させた場合、テレビジョンマイコン７はタイマ１２を制御して、３０分間計測させ、３０分後に電源部１３を制御してテレビジョン放送受信機１の電源を切断するという処理である。そして、このスリープタイマモードが起動された場合、テレビジョンマイコン７がスリープタイマモードの入力時点での日付、曜日、時刻をカレンダクロック１１で参照して、この値（以後、スリープタイマモード履歴情報と称す）をメモリ１４に記録する（Ｓ３５）。そして、テレビジョンマイコン７は、ＥＥＰＲＯＭ１５に記録されている映像信号のブライトネス及びコントラストの最小値を読み出し、この値に基づいて、ブライトネス処理部１９とコントラスト処理部２０とを制御することによって、表示部２１に出力されるオープニング画面のブライトネス及びコントラストの値を最小値に変更し（Ｓ３８）、ステップ３９に進む。なお、本実施形態におけるブライトネス及びコントラストの値は、６３段階で表現されており、最小値を１、最高値を６３に設定されており、ブライトネスの値が１に近づく程、画面の明るさは暗くなり、６３に近づく程、画面の明るさは暗くなる。また、コントラスト
の値が１に近づく程、画面の明暗差が小さくなり、６３に近づく程、画面の明暗差が大きくなる。本実施形態では、ユーザがブライトネス及びコントラストの値が１に設定された画面を見た場合、画面がブラックバック画面ではなく、薄っすら画像が出力されていることを認識できる程度の状態になっている。ただし、ブライトネス及びコントラストの値を設定する段階表示はテレビジョン放送受信機の仕様によって異なるので、ユーザが画像の出力を認識可能な最小値であれば、ブライトネス及びコントラストの値を１以外の値（例えば３）に設定しても良い。
【００５５】
反対に、ユーザがスリープタイマモードを選択しない場合には、テレビジョンマイコン７はメモリ１４にスリープタイマモード履歴情報が存在するか否かを確認し（Ｓ３６）、メモリ３４に該情報が存在しない場合には、ステップ３９に進む。メモリ１４にスリープタイマモード履歴情報が存在する場合には、テレビジョンマイコン７は、現在の時刻をカレンダクロック１１で参照し、現在の時刻がメモリ１４に記録されているスリープタイマモード履歴情報に於ける最も早い時刻よりも早い時刻か否かを判断し（Ｓ３７）、早い時間でなければステップ３８に進み、表示部２１に出力されるオープニング画面のブライトネス及びコントラストの値を最小値に変更し、早い時間であればステップ３９に進む。
【００５６】
そして、ステップ３８の後、ユーザがリモコン８に備えられているキーを押下して、再生、停止、早送り、巻き戻し等、何らかのキー入力を行った場合（Ｓ３９）、テレビジョンマイコン７は、ＥＥＰＲＯＭ１５からブライトネス及びコントラストの既定値を読み出し、この値に基づいて、ブライトネス処理部１９とコントラスト処理部２０を制御することによって、表示部２１に出力される画面のブライトネス及びコントラストを既定値に戻し（Ｓ４０）、ステップ３１に戻る。反対に、オープニング画面のブライトネス及びコントラストの値が最小値に変更された後、ステップ３９に於いて、ユーザがリモコン８に何らキー入力をしなければ、ステップ３１に戻る。なお、上述の既定値は、テレビジョン放送受信機１の出荷段階で設定されているデフォルトの値でもよいし、ユーザがリモコン８のキー入力によって設定したユーザ固有の値でも良い。
【００５７】
一方、ピックアップ部２２に於ける光ディスク記録媒体５の種類に関する判別がＣＤではない場合（Ｓ３２）、表示部２１に出力されている画面のブライトネス及びコントラストの値が最小値か否かが判断され（Ｓ３４）、最小値の状態であれば、ブライトネス及びコントラストの値を既定値に戻し（Ｓ４０）、ステップ３１に戻る。また、ステップ３４に於いて、ブライトネスとコントラストの値が最小値ではない場合、ステップ３１に戻る。
【００５８】
なお、本実施形態では、現在の時刻とスリープタイマモード履歴情報に於ける最も早い時刻とを比較し、ブライトネス・コントラスト制御処理を実行する構成としたが、現在の曜日及び時刻が特定の曜日及び時間帯に該当する際に、ブライトネス・コントラスト制御処理を行う構成としても良い。
【００５９】
[作用効果]
本実施形態に係るテレビジョン放送受信機１によれば、光ディスク記録媒体５の種類を判別するピックアップ部２２による判別結果が、ＤＶＤマイコン２５を経由して、ＤＶＤマイコン２５とバス通信によって接続されたテレビジョンマイコンに伝達されるので、ＤＶＤ装置とテレビジョン放送受信機とが別体の場合に比べて、光ディスクの判別に応じた処理をより迅速に行うことが出来る。
【００６０】
また、本実施形態に係るテレビジョン放送受信機１によれば、ピックアップ部２２での光ディスク記録媒体５の判別結果がＣＤであり、且つ、スリープタイマモードが起動される場合に、表示部２１に出力される映像信号のブライトネス及びコントラストの値を最小
値にすることが出来るので、音声情報のみのＣＤの再生時に、必ずしも必要ではない表示部への映像出力に必要な消費電力を最小限に抑えることが出来るだけでなく、夜間、部屋の照明を落としてＣＤの音声を聴きながら就寝する状況に於いて、表示部２１に出力される画面の明るさが就寝の妨げとなることを防ぐことが出来る。
【００６１】
また、表示部２１に出力される映像信号のブライトネス及びコントラストの値を最小値にすることで、ユーザが表示部２１に出力される画像をブラックバック画面ではなく、オープニング画面であることを確認出来るので、ユーザが誤ってテレビジョン放送受信機１が故障したと認識することを防ぐことが出来る。
【００６２】
さらに、ユーザによってスリープタイマモードが起動された場合には、テレビジョンマイコン７がスリープタイマモードをユーザが入力した時点での日付、曜日、時刻（スリープタイマ履歴情報）をカレンダクロック１１で参照して、この情報をメモリ１４に記録し、表示部２１に出力される画面のブライトネス及びコントラストの値を最小値にする。一方、ユーザによってスリープタイマモードが起動されない場合には、まずスリープタイマ履歴情報が存在するかを確認し、該情報が存在すれば、カレンダクロック１１で現在の時刻を参照し、この時刻とメモリ１４に記録されたスリープタイマ履歴情報の内、最も早い時間にスリープタイマモードが起動された時刻とを比較して、現在の時刻が該最も早い時間にスリープタイマモードが起動された時刻よりも遅い場合には、表示部２１に出力される画面のブライトネス及びコントラストの値を最小値にする。したがって、ユーザがＣＤの音声を聴く場合、スリープタイマモードを過去に１度でも使用した経験があれば、スリープタイマモードを起動する作業を行わずに、画面のブライトネス及びコントラストの値を自動的に最小値にすることが可能となるので、ユーザにとって非常に利便性が高い。
【００６３】
[その他の実施形態]
上述の第２乃至第３実施形態に於いて、光ディスク記録媒体５がＣＤである場合を前提としたブライトネス・コントラスト制御処理について記載したが、第２乃至第３実施形態のブライトネス・コントラスト制御処理を光ディスク記録媒体５がＤＶＤの場合に適用しても良い。このような実施形態では、ユーザがＤＶＤの映像を重視せずに、音声を聴きながら就寝するような場合に於いて、画面の明るさがユーザの睡眠の妨げとなることを防止することが出来る。また、特定の時間にＤＶＤの音声を聴きながら就寝するユーザの習慣を反映することが出来る。
【図面の簡単な説明】
【００６４】
【図１】第１実施形態に係るＤＶＤ装置一体型テレビジョン放送受信機の概略構成図
【図２】第１実施形態に係るＤＶＤ装置の概略構成図
【図３】第１実施形態に係る画質調整処理に関するフローチャート
【図４】第２実施形態に係る画質調整処理に関するフローチャート
【図５】第３実施形態に係る画質調整処理に関するフローチャート
【符号の説明】
【００６５】
１      テレビジョン放送受信機    
２      アンテナ  
３      テレビジョンチューナ
４      信号処理部
５      光ディスク記録媒体
６      ＤＶＤ装置
７      テレビジョンマイコン
８      リモコン
９      赤外線受光部
１０    入力セレクタ
１１    カレンダクロック  
１２    タイマ
１３    電源部
１４    メモリ
１５    ＥＥＰ−ＲＯＭ
１６    アンプ
１７    スピーカ
１８    輝度色差信号処理部
１９    ブライトネス処理部
２０    コントラスト処理部
２１    表示部
２２    ピックアップ部
２３    ＲＦアンプ
２４    デジタル信号処理部
２５    ＤＶＤマイコン
２６    ＲＯＭ
２７    スイッチ
２７ａ  スイッチ
２７ｂ  スイッチ
２８    ストリーム分離回路
２９    音声信号デコード部
３０    Ｄ／Ａ変換器
３１    映像信号デコード部
３２    Ｄ／Ａ変換器
３２    ＰＣＭ復調回路
３４    初期画像処理部
【図１】
2006054827.tif 000003
【図２】
2006054827.tif 000004
【図３】
2006054827.tif 000005
【図４】
2006054827.tif 000006
【図５】
2006054827.tif 000007